(57)【要約】【課題】例えば、フロントライトから出射されや光を液晶装置等の電気光学パネルで変調し、複数の画素相互において均一な輝度で画像を表示する。【解決手段】フロントライト（２００）では、第１領域（２２０ａ−１）における複数の有機ＥＬ素子（２５０ａ）の密度が、前第２領域（２２０ａ−２）における複数の有機ＥＬ素子（２５０ｂ）の密度より大きくなっている。即ち、第１領域（２２０a−１）に設けられた複数の有機ＥＬ素子（２５０ａ）の個数の密度は、第２領域（２２０ａ−２）に設けられた複数の有機ＥＬ素子（２２０ａ−２）の個数の密度より大きい。複数の有機ＥＬ素子（２５０ａ）によれば、有機ＥＬ素子（２５０ａ）毎の発光量は、有機ＥＬ素子（２５０ｂ）毎の発光量より低くなるが、第１領域（２２０ａ−１）全体から出射される光の光量を、第２領域（２２０ａ−２）全体から出射される光の光量に近づけることが可能であり、光出射領域（２２０ａ）内における輝度むらを低減できる。【選択図】図３
2010243540.tif 000002
【特許請求の範囲】
【請求項１】
（ｉ）基板と、（ｉｉ）前記基板上に光出射領域の一部を構成する第１領域に形成されており、電源に電気的に接続された複数の第１発光素子と、（ｉｉｉ）前記基板上に光出射領域の他の部分を構成する第２領域に形成されており、前記電源に電気的に接続された複数の第２発光素子とを有する照明装置と、
（ｉ）前記複数の第１発光素子及び複数の第２発光素子の夫々から出射された出射光を変調する光学層と、（ｉｉ）前記変調された変調光を前記照明装置に向かって反射する複数の反射電極とを有する電気光学パネルとを備え、
前記電源から前記複数の第１発光素子の夫々及び前記複数の第２発光素子の夫々に電流が供給される際に、前記第１の領域で生じる電圧降下は、前記第２の領域で生じる電圧降下より大きく、前記第１領域における前記複数の第１発光素子の密度は、前記第２領域における前記複数の第２発光素子の密度より大きいこと
を特徴とする電気光学装置。
【請求項２】
前記複数の反射電極のうち前記複数の第１発光素子の夫々から出射された出射光を前記照明装置に向かって反射する複数の第１反射電極の総面積からなる第１反射面積は、前記複数の反射電極のうち前記複数の第２発光素子の夫々から出射された出射光を前記照明装置に向かって反射する複数の第２反射電極の総面積からなる第２反射面積より大きいこと
を特徴とする請求項１に記載の電気光学装置。
【請求項３】
前記複数の反射電極のうち前記複数の第１発光素子の夫々から出射された出射光を前記照明装置に向かって反射する複数の第１反射電極の夫々の光反射率は、前記複数の反射電極のうち前記複数の第２発光素子の夫々から出射された出射光を前記照明装置に向かって反射する複数の第２反射電極の夫々の光反射率より大きいこと
を特徴とする請求項１に記載の電気光学装置。
【請求項４】
前記光出射領域の周辺において前記基板上の一方向に沿って延びており、前記電源に電気的に接続された周辺配線と、
前記光出射領域において前記一方向に交差する他方向に沿って延びており、前記周辺配線と、前記複数の第１発光素子及び前記複数の第２発光素子とを電気的に接続し、且つ前記周辺配線より電気抵抗が高い透明な分岐配線とを備え、
前記第１領域は、前記光出射領域のうち前記第２領域に比べて前記周辺配線から遠い領域であること
を特徴とする請求項１から３の何れか一項に記載の電気光学装置。
【請求項５】
前記複数の第１発光素子及び前記複数の第２発光素子の夫々は、前記第１領域及び前記第２領域の夫々において、前記一方向及び前記他方向の夫々に沿って配列されており、前記第１領域において前記他方向に沿って配列された前記複数の第１発光素子のピッチは、前記第２領域において前記他方向に沿って配列された前記複数の第２発光素子のピッチより小さいこと
を特徴とする請求項４に記載の電気光学装置。
【請求項６】
請求項１から５の何れか一項に記載の電気光学装置を具備してなること
を特徴とする電子機器。
【発明の詳細な説明】
【技術分野】
【０００１】
本発明は、例えば、フロントライト等の照明装置から出射された光を液晶パネル等の電気光学パネルで変調した後、当該変調された光をフロントライト側に反射することによって画像を表示する電気光学装置、及びそのような電気光学装置を具備してなる携帯電話等の電子機器の技術分野に関する。
【背景技術】
【０００２】
この種の電気光学装置では、発光ダイオード等の複数の発光素子がマトリクス状に配列されたフロントライト等の照明装置から液晶パネル等の電気光学パネルに光が出射される。発光素子は、フロントライト等の照明装置に設けられた端子部と、当該端子部に電気的に接続された配線部とを介して供給された電源によって駆動される。フロントライト等の照明装置では、陽極配線及び陰極配線から物理的に遠い位置に配置された発光素子について、電源の入力端子から当該発光素子までの電気抵抗が、入力端子に近い位置に配置された発光素子に比べて大きくなるため、入力端子から遠い位置に配置された発光素子の陽極及び陰極間の電圧が、入力端子に近い位置に配置された発光素子の陽極及び陰極間の電圧より小さくなる。このため、入力端子から遠い位置に配置された発光素子の発光量が、入力端子に近い位置に配置された発光素子の発光量に比べて低くなり、フロントライトが液晶パネルに光を出射する光出射領域全体で輝度むらを生じ、最終的に表示される画像に輝度むらを生じさせる一因となっている。特許文献１は、光源面内の輝度ばらつきを低減可能な技術の一例を開示している。
【０００３】
また、フロントライト等の照明装置では、フロントライトから液晶パネルに出射される光が遮られないようにすると共に、液晶パネルで反射された反射光を画像表示面に透過させることを目的として、フロントライト等の照明装置における光出射領域に形成される配線は、ＩＴＯ等の透明導電材料からなる構成される。フロントライト等の照明装置に配列された複数の発光素子は、ＩＴＯ等の透明導電材料からなる配線を介して、電源の入力端子に電気的に接続されている。
【先行技術文献】
【特許文献】
【０００４】
【特許文献１】特開平１１−２２４７７８号公報
【発明の概要】
【発明が解決しようとする課題】
【０００５】
しかしながら、ＩＴＯ等の透明導電材料は、アルミニウム或いは銅等の不透明な導電材料に比べて電気抵抗が大きいため、入力端子から遠い位置に配置された発光素子ほど配線の電気抵抗の増大による電圧降下が大きく、その発光量が小さくなる傾向が顕著になる。この場合、単に発光素子の配置密度を光出射領域内の各領域で相互に異ならせることによってフロントライトの光出射領域内の輝度むらを低減するだけでは、最終的に表示される画像の輝度むらを低減することが困難であるという技術的問題点がある。
【０００６】
よって、本発明は上記問題点等に鑑みてなされたものであり、例えば、フロントライトから出射された光を液晶装置等の電気光学パネルで変調し、複数の画素相互において均一な輝度で画像を表示可能な電気光学装置、及びそのような電気光学装置を具備してなる電子機器を提供することを課題とする。
【課題を解決するための手段】
【０００７】
本発明に係る電気光学装置は上記課題を解決するために、（ｉ）基板と、（ｉｉ）前記基板上に光出射領域の一部を構成する第１領域に形成されており、電源に電気的に接続された複数の第１発光素子と、（ｉｉｉ）前記基板上に光出射領域の他の部分を構成する第２領域に形成されており、前記電源に電気的に接続された複数の第２発光素子とを有する照明装置と、（ｉ）前記複数の発光素子の夫々から出射された出射光を変調する光学層と、（ｉｉ）前記変調された変調光を前記照明装置に向かって反射する複数の反射電極とを有する電気光学パネルとを備え、前記電源から前記複数の第１発光素子の夫々及び前記複数の第２発光素子の夫々に電流が供給される際に、前記第１の領域で生じる電圧降下は、前記第２の領域で生じる電圧降下より大きく、前記第１領域における前記複数の第１発光素子の密度は、前記第２領域における前記複数の第２発光素子の密度より大きい。
【０００８】
本発明に係る電気光学装置によれば、電気光学パネルに光を出射する光源として機能する照明装置は、基板、複数の第１発光素子、及び、複数の第２発光素子を有している。
【０００９】
基板は、例えば、ガラス基板等の透明基板であり、後述する電気光学パネルで反射された反射光を透過させる。
【００１０】
複数の第１発光素子は、前記基板上に光出射領域の一部を構成する第１領域に形成されており、電源に電気的に接続されている。ここで、「光出射領域」とは、照明装置が有する複数の第１発光素子及び複数の第２発光素子で発生した光が電気光学パネルに向かって出射される領域をいう。第１発光素子は、有機ＥＬ素子等の電流駆動型の自発光素子であり、端子部を介して電源から供給される電流によって発光する。
【００１１】
複数の第２発光素子は、前記基板上に光出射領域の他の部分を構成する第２領域に形成されており、前記電源に電気的に接続されている。第２発光素子も、第１発光素子と同様に有機ＥＬ素子等の電流駆動型の自発光素子である。
【００１２】
電気光学パネルは、光学層、及び、複数の反射電極を有している。
【００１３】
光学層は、例えば、液晶層であり、前記複数の第１発光素子及び複数の第２発光素子の夫々から出射された出射光を変調する。
【００１４】
複数の反射電極は、前記変調された変調光を前記照明装置に向かって反射する。複数の反射電極によって反射された反射光は、照明装置を透過し、画像を表示する。尚、複数の反射電極は、例えば、照明装置が電気光学パネルに光を出射する側と反対側である画像表示側において画像表示領域を構成する複数の画素の夫々に対応して設けられている。
【００１５】
本発明に係る電気光学装置によれば、前記電源から前記複数の第１発光素子の夫々及び前記複数の第２発光素子の夫々に電流が供給される際に、前記第１の領域で生じる電圧降下は、前記第２の領域で生じる電圧降下より大きい。言い換えれば、当該電気光学装置の動作時において、複数の第１発光素子についての素子毎の発光量は、複数の第２発光素子についての素子毎の発光量より低くなる。
【００１６】
そこで、本発明に係る電気光学装置によれば、前記第１領域における前記複数の第１発光素子の密度は、前記第２領域における前記複数の第２発光素子の密度より大きい。即ち、第１領域に設けられた複数の第１発光素子の個数の密度は、第２領域に設けられた複数の第２発光素子の個数の密度より大きい。複数の第１発光素子によれば、第１発光素子毎の発光量は、第２発光素子毎の発光量より低くなるが、第１領域全体から出射される光の光量を、第２領域全体から出射される光の光量に近づけることが可能であり、光出射領域内における輝度むらを低減できる。
【００１７】
よって、本発明に係る電気光学装置によれば、照明装置を透過し、最終的に画像が表示された際に、画像を表示する複数の画素における輝度むらを低減でき、高品位の画像を表示可能である。
【００１８】
本発明に係る電気光学装置の一の態様では、前記複数の反射電極のうち前記複数の第１発光素子の夫々から出射された出射光を前記照明装置に向かって反射する複数の第１反射電極の総面積からなる第１反射面積は、前記複数の反射電極のうち前記複数の第２発光素子の夫々から出射された出射光を前記照明装置に向かって反射する複数の第２反射電極の総面積からなる第２反射面積より大きくてもよい。
【００１９】
この態様によれば、第１領域における複数の第１発光素子の密度を、第２領域における複数の第２発光素子の密度より大きくするだけでは画像内の輝度むらを低減できない場合であっても、複数の第１反射電極によって反射された反射光の光量と、複数の第２反射電極によって反射された反射光の光量とを近づけることができ、画像内の輝度むらを低減できる。尚、この態様によれば、第２反射電極のサイズより第１反射電極のサイズを大きく設定することによって、複数の第２反射電極の総面積より複数の第１反射電極の総面積を大きくしてもよいし、複数の第２反射電極の夫々の面積より複数の第１反射電極の夫々の面積より大きくしてもよい。
【００２０】
本発明に係る電気光学装置の一の態様では、前記複数の反射電極のうち前記複数の第１発光素子の夫々から出射された出射光を前記照明装置に向かって反射する複数の第１反射電極の夫々の光反射率は、前記複数の反射電極のうち前記複数の第２発光素子の夫々から出射された出射光を前記照明装置に向かって反射する複数の第２反射電極の夫々の光反射率より大きくてもよい。
【００２１】
この態様によれば、第１領域における複数の第１発光素子の密度を、第２領域における複数の第２発光素子の密度より大きくするだけでは画像内の輝度むらを低減できない場合であっても、複数の第１反射電極によって反射された反射光の光量と、複数の第２反射電極によって反射された反射光の光量とを近づけることができ、画像内の輝度むらを低減できる。
【００２２】
本発明に係る電気光学装置の他の態様では、前記光出射領域の周辺において前記基板上の一方向に沿って延びており、前記電源に電気的に接続された周辺配線と、前記光出射領域において前記一方向に交差する他方向に沿って延びており、前記周辺配線と、前記複数の第１発光素子及び前記複数の第２発光素子とを電気的に接続し、且つ前記周辺配線より電気抵抗が高い透明な分岐配線とを備え、前記第１領域は、前記光出射領域のうち前記第２領域に比べて前記周辺配線から遠い領域であってもよい。
【００２３】
この態様によれば、例えば、アルミニウム或いは銅等の不透明な金属材料から構成された周辺配線に比べて電気抵抗が大きいＩＴＯ等の透明導電材料から構成された分岐配線に起因して、第１領域における複数の第１発光素子の夫々の発光量が、第２領域における複数の第２発光素子の夫々の発光量より低い場合であっても、第１領域から電気光学パネルに向かって出射された出射光の光量を、第２領域から電気光学パネルに向かって出射される出射光の光量に近づけることが可能である。
【００２４】
この態様では、前記複数の第１発光素子及び前記複数の第２発光素子の夫々は、前記第１領域及び前記第２領域の夫々において、前記一方向及び前記他方向の夫々に沿って配列されており、前記第１領域において前記他方向に沿って配列された前記複数の第１発光素子のピッチは、前記第２領域において前記他方向に沿って配列された前記複数の第２発光素子のピッチより小さくてもよい。
【００２５】
この態様によれば、他方向に沿って延びる分岐配線の電気抵抗に起因して、複数の第１発光素子の夫々の発光量が、複数の第２発光素子の夫々の発光量より低くなっているため、第１領域における複数の第１発光素子の密度と、第２領域における複数の第２発光素子の密度とが相互に等しい場合には、光出射領域において他方向に沿って出射光の光量に差が生じてしまう。そこで、この態様では、出射光の光量の差が生じる他方向に沿って、第２領域における複数の第２発光素子のピッチより、第１領域における複数の第１発光素子のピッチを小さくすることによって、第１領域全体から出射される出射光全体の光量を、第２領域全体から出射される出射光全体の光量に近づけることが可能である。
【００２６】
本発明に係る電子機器は上記課題を解決するために、上述の電気光学装置を具備してなる。
【００２７】
本発明に係る電子機器によれば、高品位の画像を表示可能な携帯電話、モバイルノードパーソナルコンピュータ、デジタルカメラ、ビデオカメラ、カムコーダ等の電子機器を提供できる。
【００２８】
本発明のこのような作用及び他の利得は次に説明する実施形態から明らかにされる。
【図面の簡単な説明】
【００２９】
【図１】本発明に係る電気光学装置の一実施形態である液晶装置の概略構成を示す平面図である。
【図２】図１のＩＩ−ＩＩ´断面図である。
【図３】本発明に係る電気光学装置の一実施形態である液晶装置が備えるフロントライトの概略構造を図式的に示した平面図である。
【図４】図３のＩＶ−ＩＶ´断面図である。
【図５】図３のＶ−Ｖ´断面図である。
【図６】図３のＶＩ−ＶＩ´断面図である。
【図７】本発明に係る電気光学装置の一実施形態である液晶装置が備えるフロントライトにおける有機ＥＬ素子の配置状態を図式的に示した平面図である。
【図８】本発明に係る電気光学装置の一実施形態である液晶装置が備えるフロントライトの光出射領域の輝度分布を図式的に示した平面図である。
【図９】本発明に係る電気光学装置の一実施形態である液晶装置が備えるフロントライトの比較例における有機ＥＬ素子の配置状態を図式的に示した平面図である。
【図１０】本発明に係る電気光学装置の一実施形態である液晶装置が備えるフロントライトの比較例における光出射領域の輝度分布を図式的に示した平面図である。
【図１１】本発明に係る電気光学装置の一実施形態である液晶装置の構造を図式的に示した断面図である。
【図１２】本発明に係る電気光学装置の一実施形態である液晶装置の変形例に係る構造を図式的に示した断面図である。
【図１３】本実施形態に係る電子機器の一例であるコンピュータの斜視図である。
【図１４】本実施形態に係る電子機器の一例である携帯電話の斜視図である。
【発明を実施するための形態】
【００３０】
先ず、図１乃至図１１を参照しながら、本発明に係る電気光学装置の一実施形態である液晶装置１を説明する。
【００３１】
＜１−１：液晶装置の全体構成＞
図１及び図２を参照しながら、液晶装置１の全体構成を説明する。図１は、液晶装置１が画像を表示する表示面２００Ｂ側から液晶装置１を見た液晶装置１の平面図である。図２は、図１のＩＩ−ＩＩ´断面図である。
【００３２】
図１及び図２において、液晶装置１は、本発明の「照明装置」の一例であるフロントライト２００と、本発明の「電気光学パネル」の一例である液晶パネル１００と、偏光板６０とを備えている。
【００３３】
図１及び図２において、フロントライト２００は、第１基板２１０と、本発明の「基板」の一例である第２基板２２０と、図中下側である第２基板２２０上に形成された複数の有機ＥＬ素子２５０と、複数の有機ＥＬ素子２５０に対応して設けられた複数の開口部Ｐと、複数の開口部Ｐに対応して設けられた複数の透過部Ｔと、中間層２４０と、遮光膜２６４とを備えている。複数の透過部Ｔの夫々が、画像を表示する表示面２００Ｂ上の画像表示領域を構成する複数の画素に対応している。
【００３４】
透過部Ｔは、液晶パネル１００で反射された光を画像表示面２００Ｂに透過させる。このような複数の透過部Ｔは、遮光膜２６４によって規定され、且つ第２基板２２０の画像表示面にマトリクス状に配列されている。画像表示面２００Ｂにおける画像表示領域を構成する複数の画素は、各透過部Ｔに対応して規定されている。
【００３５】
開口部Ｐは、光出射面２００Ａに臨んでおり、有機ＥＬ素子２５０で発生した光のうち液晶パネル１００に出射される出射光の光量を規定する。開口部Ｐから液晶パネル１００に出射された出射光Ｌ１は、反射電極９によって反射される。反射電極９によって反射された反射光Ｌ２は、開口部Ｐ及び透過部Ｔを介して画像表示面２００Ｂから出射される。
【００３６】
液晶パネル１００は、本発明の「光学層」の一例である液晶層５０と、ＴＦＴ等の素子が形成されたＴＦＴアレイ基板１０と、配向膜１６及び２２と、対向電極２１と、複数のカラフィルタ２４と、遮光層２５と、対向基板２０と、複数の反射電極９とを備えている。
【００３７】
液晶装置１の動作時において、複数の反射電極９の夫々には駆動回路を介して画像信号が供給される。複数の反射電極９及び対向電極２１間の電位差に応じて、液晶層５０に駆動電圧が印加され、液晶層５０のうち各反射電極９に対応する部分の配向状態が制御される。フロントライト２００が有する複数の有機ＥＬ素子２５０の夫々で発生した光のうち各開口部Ｐを介して液晶パネル１００に出射された出射光Ｌ１は、液晶層５０に変調された後、複数の反射電極９によって反射される。複数の反射電極９によって反射された反射光Ｌ２が開口部Ｐ及び透過部Ｔを介して表示面２００Ｂから図２中上側に向かって出射されることにより、表示面２００Ｂ側に画像が表示される。
【００３８】
＜１−２：フロントライトの構成＞
次に、図３乃至図１０を参照しながら、フロントライト２００の構成を詳細に説明する。図３は、フロントライト２００の概略構造を図式的に示した平面図である。図４は、図３のＩＶ−ＩＶ´断面図である。図５は、図３のＶ−Ｖ´断面図である。図６は、図３のＶＩ−ＶＩ´断面図である。図７は、本実施形態に係る液晶装置が備えるフロントライトにおける有機ＥＬ素子の配置状態を図式的に示した平面図である。図８は、本実施形態に係る液晶装置１が備えるフロントライト２００の光出射領域２２０ａの輝度分布を図式的に示した平面図である。図９は、本実施形態に係る液晶装置１が備えるフロントライト２００の比較例に係るフロントライト２００ｃについて有機ＥＬ素子２５０の配置状態を図式的に示した平面図である。図１０は、本実施形態に係る液晶装置１が備えるフロントライト２００の比較例に係るフロントライト２００ｃについて光出射領域２２０ａの輝度分布を図式的に示した平面図である。
【００３９】
図３において、フロントライト２００は、第２基板２２０上に、複数の有機ＥＬ素子２５０と、各々が本発明の「周辺配線」の一例である陽極配線２３１及び陰極配線２３２と、各々が本発明の「分岐配線」の一例である陽極側分岐配線２３３及び陰極側分岐配線２３４とを備えている。
【００４０】
図３において、図２中第１基板２１０の下側の面である光出射面２００Ａの光出射領域２２０ａの一部である第１領域２２０ａ−１に配置された複数の有機ＥＬ素子２５０ａが、本発明の「複数の第１発光素子」の一例である。図２中第１基板２１０の下側の面である光出射面２００Ａの光出射領域２２０ａの他の部分である第２領域２２０ａ−２に配置された複数の有機ＥＬ素子２５０ｂが、本発明の「複数の第２発光素子」の一例である。
【００４１】
陽極配線２３１及び陰極配線２３２の夫々は、光出射領域２２０ａの周辺において前記第２基板２２０上の図中Ｙ方向に沿って延びており、不図示の電源の陽極及び陰極の夫々に電気的に接続されている。陽極配線２３１及び陰極配線２３２の夫々は、例えば、アルミニウム或いは銅等の金属材料で構成された不透明な配線である。
【００４２】
陽極側分岐配線２３３及び陰極側分岐配線２３４の夫々は、光出射領域２２０ａにおいてＹ方向に交差するＸ方向に沿って延びている。陽極側分岐配線２３３及び陰極側分岐配線２３４の夫々は、陽極配線２３１及び陰極配線２３２の夫々と、複数の有機ＥＬ素子２５０ａ及び複数の有機ＥＬ素子２５０ｂの夫々とを電気的に接続している。
【００４３】
ここで、図３乃至図６を参照しながら、フロントライト２００の断面構造を説明する。
【００４４】
図３乃至図５に示すように、フロントライト２００は、第１基板２１０上に順次形成された下地膜２８１と、絶縁膜２８２と、陽極分岐配線２３１と、陽極分岐配線２３３及び陽極配線２３１を相互に電気的に接続するコンタクト部２３５と、陰極分岐配線２３４及び陰極配線２３２を相互に電気的に接続するコンタクト部２３６とを有している。
【００４５】
図６に示すように、有機ＥＬ素子２５０の陽極が陽極分岐配線２３３に電気的に接続されている。有機ＥＬ素子２５０の陰極は、中継配線２６３及びコンタクト部２６５を介して陰極分岐配線２３４に電気的に接続されている。中継配線２６３は、有機ＥＬ素子２５０で発生した光が図６中上側である第２基板２２０側に光漏れしないように、有機ＥＬ素子２５０で発生した光を遮光する。
【００４６】
再び、図３乃至図５において、陽極側分岐配線２３３及び陰極側分岐配線２３４の夫々は、液晶パネル１０で反射された光をフロントライト２００で遮らないように、ＩＴＯ等の透明な導電材料から構成されている。このような陽極側分岐配線２３３及び陰極側分岐配線２３４は、陽極配線２３１及び陰極配線２３２に比べて、電気抵抗が高い。このため、液晶装置１を動作させた際に、光出射領域２２０ａにおいて陽極配線２３１及び陰極配線２３２から見て第２領域２２０ａ−２より遠い領域である第１領域２２０ａ−１に配置された複数の有機ＥＬ素子２５０ａの夫々の発光量は、複数の有機ＥＬ素子２５０ａ及び複数の有機ＥＬ素子２５０ｂの夫々に電気的に接続された陽極側分岐配線２３３及び陰極側分岐配線２３４の電気抵抗の違い、言い換えれば各有機ＥＬ素子に流れる電流の大きさの相違に起因して、第２領域２２０ａ−２に配置された複数の有機ＥＬ２５０ｂの夫々の発光量より低くなる。より具体的には、電源から複数の有機ＥＬ素子２０５ａの夫々及び複数の有機ＥＬ素子２５０ｂの夫々に電流が供給される際に、複数の有機ＥＬ素子２０５ａが配置された第１の領域で生じる電圧降下は、複数の有機ＥＬ素子２０５ｂが配置された第１の領域で生じる電圧降下より大きくなることによって、複数の有機ＥＬ素子２５０ａの夫々の発光量が、複数の有機ＥＬ２５０ｂの夫々に発光量より低くなる。
【００４７】
そこで、液晶装置１が備えるフロントライト２００では、第１領域２２０ａ−１における複数の有機ＥＬ素子２５０ａの密度が、前第２領域２２０ａ−２における複数の有機ＥＬ素子２５０ｂの密度より大きくなっている。即ち、第１領域２２０a−１に設けられた複数の有機ＥＬ素子２５０ａの個数の密度は、第２領域２２０ａ−２に設けられた複数の有機ＥＬ素子２２０ａ−２の個数の密度より大きい。複数の有機ＥＬ素子２５０ａによれば、有機ＥＬ素子２５０ａ毎の発光量は、有機ＥＬ素子２５０ｂ毎の発光量より低くなるが、第１領域２２０ａ−１全体から出射される光の光量を、第２領域２２０ａ−２全体から出射される光の光量に近づけることが可能であり、光出射領域２２０ａ内における輝度むらを低減できる。
【００４８】
本実施形態では、複数の有機ＥＬ素子２５０ａ及び複数の有機ＥＬ素子２５０ｂの夫々は、第１領域２２０ａ−１及び第２領域２２０ａ−２の夫々において、Ｙ方向及びＸ方向の夫々に沿って配列されている。特に、本実施形態では、陽極分岐配線２３３及び陰極分岐配線２３４がＸ方向に沿って延びているため、光出射領域２２０ａにおいて、仮に、有機ＥＬ素子２５０の配置密度を一様にした場合には、Ｘ方向に沿って輝度むらが発生してしまう。
【００４９】
より具体的には、図９及び図１０に示すように、比較例に係るフロントライト２００ｃにおいて、光出射領域２２０ａにおける有機ＥＬ素子２５０の配置密度を一様にした場合には、光出射領域２２０ａにおいてＸ方向に沿って輝度むらが発生してしまう。
【００５０】
そこで、図３に示すように、フロントライト２００によれば、第１領域２２０ａ−１においてＸ方向に沿った複数の有機ＥＬ素子２５０ａのピッチＤ１を、第２領域２２０ａ−２においてＸ方向に沿った複数の有機ＥＬ素子２５０ｂのピッチＤ２より小さくすることによって、第１領域２２０ａ−１における複数の有機ＥＬ素子２５０ａの密度を、第２領域２２０ａ−２における複数の有機ＥＬ素子２５０ａの密度より大きくし、第１領域２２０ａ−１全体から出射される出射光全体の光量を、第２領域２２０ａ−２全体から出射される出射光全体の光量に近づけている。
【００５１】
より具体的には、図７及び図８に示すように、フロントライト２００では、Ｘ方向に沿って有機ＥＬ素子２５０の配置密度に差も設けているため、光出射領域２２０ａにおける輝度むらを低減でき、均一な光強度でフロントライト２００から液晶パネルに光を出射できる。
【００５２】
よって、本実施形態に係る液晶装置１によれば、フロントライト２００を透過し、最終的に画像が表示された際に、画像を表示する複数の画素における輝度むらを低減でき、高品位の画像を表示可能である。
【００５３】
次に、図１１を参照しながら、液晶パネル１００が有する複数の反射電極９の構成を詳細に説明する。図１１は、本発明に係る電気光学装置の一実施形態である液晶装置の構造を図式的に示した部分断面図である。尚、図１１には、液晶装置１のうち第１領域２２０ａ−１及び第２領域２２０ａ−２の夫々に重なる部分の断面構造を示している。
【００５４】
図１１において、一つの有機ＥＬ素子２５０ａから開口部Ｐを介して液晶パネル１００に向かって出射される出射光Ｌ１Ａの光強度は、一つの有機ＥＬ素子２５０ｂから開口部Ｐを介して液晶パネル１００に向かって出射される出射光Ｌ１Ｂの光強度より小さい。上述したように、液晶装置１によれば、フロントライト２００の光出射面２００Ａにおいて、第１領域２２０ａ−１における有機ＥＬ素子２５０ａの密度が、第２領域２２０ａ−２における有機ＥＬ素子２５０ｂの密度より大きくなっているが、それだけでは光出射領域２０ａにおける輝度むらを十分に低減できない場合も実践的には考えられる。
【００５５】
そこで、本実施形態に係る液晶装置１によれば、複数の反射電極９のうち複数の有機ＥＬ素子２５０ａの夫々から出射された出射光ｌ１Ａをフロントライト２００に向かって反射する複数の第１反射電極９ａの光反射面の面積、即ち、複数の第１反射電極９ａの総面積からなる第１反射面積は、複数の反射電極９のうち複数の有機ＥＬ素子２５０ｂの夫々から出射された出射光Ｌ１Ｂをフロントライト２００に向かって反射する複数の第２反射電極９ｂの光反射面の面積、即ち、複数の第２反射電極９ｂの総面積からなる第２反射面積より大きくなっている。
【００５６】
このような反射電極９ａ及び９ｂによれば、第１領域２２０ａ−１における複数の有機ＥＬ素子２５０ａの密度を、第２領域２２０ａ−２における複数の有機ＥＬ素子２５０ｂの密度より大きくするだけでは画像内の輝度むらを低減できない場合であっても、複数の第１反射電極９ａによって反射された反射光の光量と、複数の第２反射電極９ｂによって反射された反射光の光量とを近づけることができ、画像内の輝度むらを低減できる。尚、本実施形態によれば、第２反射電極９ｂのサイズより第１反射電極９ａのサイズを大きく設定することによって、複数の第２反射電極９ｂの総面積より複数の第１反射電極９ａの総面積を大きくしてもよいし、複数の第２反射電極９ｂの夫々の面積より複数の第１反射電極９ａの夫々の面積を大きくしてもよい。
【００５７】
このように、液晶装置１によれば、陽極分岐配線２３３及び陰極分岐配線２３４の夫々に電気抵抗に起因して生じうる画像の輝度むらを低減でき、高品位の画像表示が可能になる。
【００５８】
＜変形例＞
次に、図１２を参照しながら、本実施形態に係る液晶装置１の変形例を説明する。図１２は、本例に係る液晶装置の一部の構造を図式的に示した部分断面図である。尚、以下のでは、上述の液晶装置１と共通する部分に共通の参照符号を付し、詳細な説明を省略する。
【００５９】
図１２において、本例に係る液晶装置５００は、相互に光反射率が異なる反射電極９ａ１及び９ｂ１を備えている点で、上述の液晶装置１と構成が異なる。より具体的には、液晶装置５００の一部を構成する液晶パネル１００Ａは、反射電極９ｂ１に比べて光反射率が大きい反射電極９ａ１を備えている。このような反射電極９ａ１及び９ｂ１によれば、液晶層５０によって変調された変調された第１出射光Ｌ１Ａ及び第２出射光Ｌ１Ｂのうち、本発明の「第１反射電極」の一例である反射電極９ａ１、及び、本発明の「第２反射電極」の一例である反射電極９ｂ１の夫々によって反射された第１反射光Ｌ２Ａ及び第２反射光Ｌ２Ｂの夫々の光量を相互に等しくすることが可能である。
【００６０】
反射電極９ａ１及び９ｂ１の夫々の光反射率は、例えば、光反射率が相互に異なる金属材料を用いて反射電極９ａ１及び反射電極９ｂ１を構成したり、反射電極９ａ１及び９ｂ１の夫々の表面に相互に異なる凹凸形状を形成したりすることによって、第１反射光Ｌ２Ａ及び第２反射光Ｌ２Ｂの夫々の光量が相互に等しくなるように設定できる。また、反射電極９ａ１及び９ｂ１の夫々の電極厚みを相互に異なる厚みに設定したり、電極表面のコーティングを変更したりすることによって、第１反射光Ｌ２Ａ及び第２反射光Ｌ２Ｂの夫々の光量を相互に等しくすることも可能である。
【００６１】
よって、本実施形態に係る液晶装置５００によれば、上述の液晶装置１と同様に、陽極分岐配線２３３及び陰極分岐配線２３４の夫々の電気抵抗に起因して生じうる画像の輝度むらを低減でき、高品位の画像表示が可能になる。
【００６２】
＜電子機器＞
次に、図１３及び図１４を参照しながら、上述した液晶装置を具備してなる電子機器の実施形態を説明する。
【００６３】
図１３は、上述した液晶装置が適用されたモバイル型のパーソナルコンピュータの斜視図である。図１３において、コンピュータ１２００は、キーボード１２０２を備えた本体部１２０４と、上述した液晶装置を含んでなる液晶表示ユニット１２０６とから構成されている。コンピュータ１２００は、上述の液晶装置を具備してなるので、輝度むらが低減された高品位の画像を表示可能である。
【００６４】
次に、上述した液晶装置を携帯電話に適用した例について説明する。図１４は、本実施形態の電子機器の一例である携帯電話の斜視図である。図１４において、携帯電話１３００は、複数の操作ボタン１３０２とともに、上述の各実施形態に係る液晶装置と同様の構成を有する液晶装置１００５を備えている。携帯電話１３００によれば、輝度むらが低減された高品位の画像表示が可能である。
【符号の説明】
【００６５】
９，９ａ，９ａ１，９ｂ，９ｂ１・・・反射電極、Ｐ・・・開口部、２００・・・フロントライト、１００，１００Ａ・・・液晶パネル、２５０，２５０ａ，２５０ｂ・・・有機ＥＬ素子、２３１・・・陽極配線、２３２・・・陰極配線、２３３・・・陽極分岐配線、２３４・・・陰極分岐配線
【図１】
2010243540.tif 000003
【図２】
2010243540.tif 000004
【図３】
2010243540.tif 000005
【図４】
2010243540.tif 000006
【図５】
2010243540.tif 000007
【図６】
2010243540.tif 000008
【図７】
2010243540.tif 000009
【図９】
2010243540.tif 000010
【図１１】
2010243540.tif 000011
【図１２】
2010243540.tif 000012
【図１３】
2010243540.tif 000013
【図１４】
2010243540.tif 000014
【図８】
2010243540.tif 000015
【図１０】
2010243540.tif 000016